(57)【要約】【課題】アウトドアコンロ、特に折畳み式コンロの分野に関する制約や課題に対する解決策を提供する。【解決手段】携帯可能なアウトドアコンロが、燃料供給手段を介してドッキング可能であるガス制御弁と、ガス制御弁に設けられたバーナーユニットと、携帯可能なアウトドアコンロに取り付けられた複数の支持体であって、支持体は少なくとも第１のポジションと第２のポジションの間で折り畳むことができる支持体と、を備え、第１のポジションでは、支持体がバーナーユニットによって加熱されるポットのような容器の保持を提供するように構成され、第２のポジションでは、バーナーユニットがカバーの外側に突き出さないようにバーナーユニット周りのカバーを形成するように支持体が構成されている。【選択図】図１
2020148450.tif 000002
【特許請求の範囲】
【請求項１】
燃料供給手段を介してドッキング可能であるガス制御弁（１、２１、４１）と、
前記ガス制御弁（１、２１、４１）に設けられたバーナーユニット（５、２５、４５）と、
携帯可能なアウトドアコンロ（１０、２０、４０）に取り付けられた複数の支持体（３、２３、４３）であって、前記支持体（３、２３、４３）は少なくとも第１のポジションと第２のポジションの間で折り畳むことができる支持体と、を備え、
前記第１のポジションでは、前記支持体（３、２３、４３）が前記バーナーユニット（５、２５、４５）によって加熱されるポットのような容器（３２）の保持を提供するように構成され、
前記第２のポジションでは、前記バーナーユニット（５、２５、４５）が前記カバーの外側に突き出さないように前記バーナーユニット（５、２５、４５）周りのカバーを形成するように前記支持体（３、２３、４３）が構成されている、
ことを特徴とする携帯可能なアウトドアコンロ（１０、２０、４０）。
【請求項２】
前記第２ポジションで、前記支持体（３、２３、４３）が、前記バーナーユニット（５、２５、４５）に加えて前記ガス制御弁（１、２１、４１）を覆うように構成されている、
請求項１に記載の携帯可能なアウトドアコンロ（１０、２０、４０）。
【請求項３】
前記第１のポジションに折り畳まれたときに三脚のような保持構造を形成するように前記支持体（３、２３、４３）の数が３本である、
請求項１または２に記載の携帯可能なアウトドアコンロ（１０、２０、４０）。
【請求項４】
前記複数の支持体（３、２３、４３）の各々が、前記バーナーユニット（５、２５、４５）に対して遠位側の端部のところにパッドエリア（７、２７）を備え、前記支持体（３、２３、４３）が前記第２のポジションにあるときに前記それぞれのパッドエリア（７、２７）が、前記バーナーユニット（５、２５、４５）と反対を向く頂部カバーを共に形成する、
請求項１ないし３の何れか１項に記載の携帯可能なアウトドアコンロ（１０、２０、４０）。
【請求項５】
前記支持体（３、２３、４３）が前記第１のポジションにあるときに前記それぞれのパッドエリア（７、２７）が、前記追加の表面エリアに前記容器（３２）を配置することのできる追加の表面領域を共に提供する、
請求項４に記載の携帯可能なアウトドアコンロ（１０、２０、４０）。
【請求項６】
前記第２のポジションで、前記支持体（３、２３、４３）によって形成された前記カバーが筒状断面を有する、
請求項１ないし５の何れか１項に記載の携帯可能なアウトドアコンロ（１０、２０、４０）。
【請求項７】
前記第２のポジションで、前記支持体（３、２３、４３）によって形成された前記カバーが、多角断面、特に三角断面を有する、
請求項１ないし６の何れか１項に記載の携帯可能なアウトドアコンロ（１０、２０、４０）。
【請求項８】
前記複数の支持体（３、２３、４３）の各々が、前記他の支持体（３、２３、４３）から独立して前記第１と前記第２のポジションの間を動くことができる、
請求項１ないし７の何れか１項に記載の携帯可能なアウトドアコンロ（１０、２０、４０）。
【請求項９】
前記複数の支持体（３、２３、４３）の各々が、それぞれのヒンジ部（１３、５３）によって前記ガス制御弁（１、２１、４１）に取り付けられる、
請求項１ないし８の何れか１項に記載の携帯可能なアウトドアコンロ（１０、２０、４０）。
【請求項１０】
前記ヒンジ部（１３、５３）がスナップインばね機構を備え、前記複数の支持体（３、２３、４３）の各々が、前記第１のポジションまたは前記第２のポジションに嵌るようにそれぞれ構成されている、
請求項９に記載の携帯可能なアウトドアコンロ（１０、２０、４０）。
【請求項１１】
更に、前記支持体（３、２３、４３）を前記第１または前記第２のポジションにそれぞれロックするように構成されたロック機構を備える、
請求項１ないし１０の何れか１項に記載の携帯可能なアウトドアコンロ（１０、２０、４０）。
【請求項１２】
前記ロック機構が、全ての前記支持体（３、２３、４３）が対応する同一のポジション、前記第１のポジションまたは前記第２のポジションのどちらかに折り畳まれたときのみ前記支持体（３、２３、４３）のロックすることができるように構成されている、
請求項１１に記載の携帯可能なアウトドアコンロ（１０、２０、４０）。
【請求項１３】
前記ロック機構が、ガス制御ハンドル（１１、５１）と、弁スピンドル（９、４９）と、を備える、
請求項１１または１２に記載の携帯可能なアウトドアコンロ（１０、２０、４０）。
【請求項１４】
前記ガス制御ハンドルは、少なくとも前記支持体（３、２３、４２）の前記第２のポジションに対応するポジションに折り畳め、前記ガス制御ハンドル（１１、５１）の前記ポジションでは、前記ガス制御ハンドル（１１、５１）が前記支持体（３、２３、４３）と整列されている、
請求項１３に記載の携帯可能なアウトドアコンロ（１０、２０、４０）。
【請求項１５】
前記ガス制御ハンドル（１１、５１）が、前記弁スピンドル（９、４９）をそのポジションで固定するように構成されている、
請求項１３または１４に記載の携帯可能なアウトドアコンロ（１０、２０、４０）。
【発明の詳細な説明】
【技術分野】
【０００１】
本発明は、キャンプファイヤコンロ、エクスペディションコンロ、トレッキングコンロのようなアウトドアコンロ、特に、折畳み式コンロの分野に関する。
【背景技術】
【０００２】
古典的な携帯可能なアウトドアコンロ及び加熱調理器、特にトレッキングバーナーは、ハイカー、キャンパー及びこのような器具の他のユーザが、バッグ、通常はリュックに入れて持ち運ぶことができる軽量で持ち運べる器具であることが前提とされる。全体の機能性、即ち食糧と飲料を加熱または調理するための軽量器具であることに加えて、更に、これらバーナーは、コンパクトであり、それぞれのバッグに容易に収納でき、バッグから容易に取り出せるべきである。しかしながら、バッグ、特にリュックは、携帯可能なアウトドアコンロの装置から突き出た部分によって損傷しがちである。このようなリュックは、しばしば、きつくパッキングされ、または、ユーザが意図的にきつくパッキングパッキングする。
【発明の概要】
【発明が解決しようとする課題】
【０００３】
したがって、装置から突き出た物体、特に、突き出した鋭い、または薄い金属部品が問題となり、リュックまたはバッグ自体のどちらかを傷つけるか、リュック内に入れられた他の荷物を傷つける場合がある。これら他の荷物は、携帯可能なアウトドアコンロよりも柔らかい素材であることが多く、したがって、携帯可能なアウトドアコンロが、ユーザによってバッグから取り出されたときに擦り傷またはそれどころか切り傷を受ける場合がある。ユーザが、携帯可能なアウトドアコンロをバッグ内に入れる際にも同様のことがいえる。
【課題を解決するための手段】
【０００４】
上述を鑑み、本発明は上述の制約や課題に対する解決策を提供する。
【０００５】
本発明は、携帯可能なアウトドアコンロであって、ガス制御弁と、ガス制御弁に設けられたバーナーユニットと、携帯可能なアウトドアコンロに取り付けられた複数の支持体であって、前記支持体は少なくとも第１のポジションと第２のポジションの間で折り畳むことができる支持体と、を備え、第１のポジションでは、支持体が携帯可能なアウトドアコンロ用の固定土台を提供するように構成され、第２のポジションでは、バーナーユニットが前記カバーの外側に突き出さないようにバーナーユニット周りのカバーを形成するように支持体が構成されている、携帯可能なアウトドアコンロを提供する。第２のポジションは、パッキング状態とも称され、大抵は、ユーザが携帯可能なアウトドアコンロを加熱または調理のために使用せず、例えばユーザのバッグまたはリュックに移動のためにしまうときに支持体がとるべきまたはとるはずのポジションだからである。したがって、第２のポジションでは、支持アームが、少なくとも実質的または全体的にバーナーを包囲する形で折り畳まれ、第２ポジションが取られたとき、即ちパッキング後またはパッキング中に、バーナーユニットの尖ったあらゆる金属部品が、支持アームによって囲まれた外側容積を超えて突き出さないようにしている。よって、このポジションでは、バッグまたはリュック内にあるアイテムの残りが、それぞれ、更には、ユーザの手または腕が、バーナーユニットのあらゆる部分から保護される。
【０００６】
第１のポジションでは、コンロが通常の目的、即ち食材、スープ、水などの加熱または調理ができるように使用されたとき、支持体は、携帯可能なアウトドアコンロ用の安全且つ固定土台を提供するためにパッキング状態から広げられる。
【０００７】
ガス制御弁が、外部燃料供給装置に接続することのできる接続手段、またはガスカートリッジのような燃料カートリッジに接続することのできる他のガス制御弁のどちらかを備えるのがよく、さもなければ、ガス制御弁が、キャンプガスカートリッジのようなカートリッジがそれに嵌るように構成されてもよいことは理解されるべきである。
【０００８】
上述の携帯可能なアウトドアコンロでは、第２のポジションで、支持体が、バーナーユニットに加えてガス制御弁を覆うように構成されている。
【０００９】
バーナーユニットは、典型的にガス制御弁に直接設けられ、即ちガス制御弁の第１外側表面に設けられている。インターフェースが、ガス制御弁を備えるバーナーユニットへの接続を達成するように使用されてもよい。ガス制御弁の対応する第２表面は、バーナーユニットと反対を向いており、平坦面として構成されているのがよい。支持体は、第１外側表面の近傍に設けられるのがよく、これによって、上記で定義された第２のポジションに折り畳まれるときに実質的にバーナーユニットを覆う。これに代えて、支持体が、ガス制御弁の第２表面の近傍に設けられてもよく、これによって第２ポジションに折り畳まれたときにバーナーユニットに加えてガス制御弁も覆う。第１の変形例として、支持体の各々の長さが、少なくともバーナーの長さであるべきであるが、第２の変形例として、支持体の各々の長さが、少なくともガス制御弁の長さにバーナーユニットの長さを足したものであるべきことは理解されるべきである。
【００１０】
上述の携帯可能なアウトドアコンロでは、第１のポジションに折り畳まれたときに三脚を形成するように支持体の数が３本であるのがよい。
【００１１】
典型的には、支持体は、三脚を形成するのがよく、これが支持体の最も容易且つ最も信頼性の高い構造の１つである。しかしながら、原則的に、二脚式または複数脚式も使用される可能性のあることは理解されるべきである。
【００１２】
上述の携帯可能なアウトドアコンロでは、複数の支持体の各々が、バーナーユニットに対して遠位側の端部のところにパッドエリアを備え、支持体が第２のポジションにあるときにそれぞれのパッドエリアが、バーナーユニットと反対を向く頂部カバーを共に形成するのがよい。
【００１３】
この様に、支持体のそれぞれのパッドエリアは、前記支持体が第２ポジションに折り畳まれたとき、追加の、即ちバーナーユニットのための第４の保護表面を共に提供し、これによってバーナーユニットの更なる保護を提供する。
【００１４】
上述の携帯可能なアウトドアコンロでは、第２のポジションで、支持体によって形成されたカバーが筒状断面を有するのがよい。
【００１５】
したがって、支持体が第２のポジションに折り畳まれたとき、支持体は、バーナーユニットを保護するための筒状中空カバーを形成する。この場合に可能であれば、第２のポジションに折り畳まれたとき、支持体のいくつかまたは全てが、互いに隣接して提供される、さもなければ、その代わりに支持体が互いに重複するように提供される。
【００１６】
上述の携帯可能なアウトドアコンロでは、第２のポジションで、支持体によって形成されたカバーが、多角断面、特に三角断面を有する。
【００１７】
上述の携帯可能なアウトドアコンロでは、複数の支持体の各々が、他の支持体から独立して第１と第２のポジションの間を動くことができる。
【００１８】
上述の携帯可能なアウトドアコンロでは、複数の支持体の各々が、それぞれのヒンジ部によってガス制御弁に取り付けられるのがよい。しかしながら、支持体がガス制御弁に取り付けられることも可能である。
【００１９】
上述の携帯可能なアウトドアコンロでは、ヒンジ部がスナップインばね機構を備えるのがよく、複数の支持体の各々が、第１のポジションまたは第２のポジションに嵌るようにそれぞれ構成されている。
【００２０】
スナップインばね機構は、第１または第２のポジションへの支持体の折畳みを容易にする。加えて、ばねは、支持体がポジションから動かないように支持体をそれぞれのポジションに押し込むのがよい。
【００２１】
上述の携帯可能なアウトドアコンロでは、バーナーユニットが、ポットまたは缶のような容器を保持するように構成されたホルダーを備えるのがよい。
【００２２】
支持体が第２のポジションに折り畳まれたとき、ホルダーの直径が、支持体によって形成されたカバーの内側に適合するように構成されなければならないことは理解されるべきできである。
【００２３】
上述の携帯可能なアウトドアコンロは、更に、支持体を第１または第２のポジションにそれぞれロックするように構成されたロック機構を備えるのがよい。
【００２４】
ロック機構は、支持体を第１または第２のポジションに機械的にこれらをロックまたは固定することによって固定させるのがよい。
【００２５】
上述の携帯可能なアウトドアコンロでは、ロック機構が、全ての支持体が対応する同一のポジション、第１のポジションまたは第２のポジションのどちらかに折り畳まれたときのみ支持体のロックすることができるように構成されてもよい。
【００２６】
このように、ロック機構は、システム全体の安全性を高めるのがよく、即ち、第１のポジション、特に調理するために使用されたときに、携帯可能なアウトドアコンロと一緒に使用されるあらゆるポット、缶は固定して支持され、第２のポジションでは、パッキングされた携帯可能なアウトドアコンロが、ユーザの意図に反して、不測に広がった状態にならないようにする。
【００２７】
上述の携帯可能なアウトドアコンロでは、ロック機構が、ガス制御ハンドルと弁スピンドルとを備えてもよい。
【００２８】
追加のガス制御ハンドルは、典型的には支持体よりも実質的に短く、弁スピンドルと共に提供されるのがよい。
【００２９】
上述の携帯可能なアウトドアコンロでは、ガス制御ハンドルが、少なくとも支持体の第２のポジションに対応するポジションに折り畳めればよく、ガス制御ハンドルの前記ポジションでは、ガス制御ハンドルが支持体と整列されている。
【００３０】
上述の携帯可能なアウトドアコンロでは、弁スピンドルが、そのポジションでガス制御ハンドルによって固定されるように構成されていてもよい。
【図面の簡単な説明】
【００３１】
【図１】第１のポジションに折り畳まれた支持体を有する携帯可能なアウトドアコンロの概略図である。
【図２】図１の携帯可能なアウトドアコンロの支持体の概略図である。
【図３】第２のポジションに折り畳まれた支持体を有する図１の携帯可能なアウトドアコンロの概略図である。
【図４】使用ポジションを示す図１及び図３のいずれか一方に類似した携帯可能なアウトドアコンロの概略図である。
【図５】第１のポジションに折り畳まれた支持体を有する更なる実施形態による携帯可能なアウトドアコンロの分解概略図である。
【図６】第１のポジションに固定された支持体を有する図５の携帯可能なアウトドアコンロの概略図である。
【図７】第２のポジションに折り畳まれた支持体を有する図５及び図６の携帯可能なアウトドアコンロの概略図である。
【発明を実施するための形態】
【００３２】
図１は、第１のポジションに折り畳まれた支持体を有する携帯可能なアウトドアコンロの概略図を表す。図１では、携帯可能なアウトドアコンロ１０が示されている。前記携帯可能なアウトドアコンロ１０は、バーナーユニット５を支持するガス制御弁を備える。即ち、バーナーユニット５は、ガス制御弁１上に直接設けられる。ガス制御弁１の鉛直対称軸ｙは、バーナーユニット５と同一の対称軸である。この様に、ガス制御弁１及びバーナーユニット５は、ｙ軸に対して鉛直方向に整列する。図１のバーナーユニット１は、燃料供給手段（図示せず）を介してドッキング可能または燃料供給手段（図示せず）に接続可能であり、これによって、使い捨ての携帯可能なカートリッジ内の燃料、例えば液化石油、ＬＰＧが、加熱または調理目的のためにバーナーユニットへ提供されるのがよい。
【００３３】
図１は、支持体３を更に表す。図１では、３つの支持体が示されている。しかしながら、異なる数の支持体が使用されてもよく、前記数量が２個より多いことは理解されるべきである。支持体３は、典型的に鉛直対称軸ｙに対して凸形状を有する。図１に示すように、第１のポジション即ち開放ポジションに広げられている。支持体３の各々は、典型的には同一である。したがって、ガス制御弁１に対する支持体３の各々の上下方向高さは、同一である。したがって、支持体３は、ユーザが加熱するために携帯可能なアウトドアコンロ１０に置こうとする容器あるいはポット（図１に図示せず、図４を参照）の水平な設置または保持を提供している。図１に示す支持体３の各々は、バーナーユニット５に対して遠位側端部にある複数のパッドエリア７を更に備えている。支持体３が第２のポジションにあるとき、それぞれのパッドエリア７は共に、バーナーユニット５と反対方向を向いた拡大された頂部カバー領域を形成している。このような頂部カバー７Ｔが、図３に示されている。
【００３４】
図１に示すように、支持体３はそれぞれ、各ヒンジ部１３によってガス制御弁１に接続されている。ヒンジ部１３は、支持体３が、図２Ａ及び図２Ｂを参照した最大角度を超えて広がらないようにする機構と適合しているのがよい。ヒンジ部１３の各々は、詳細には、ばねを使用したスナップイン機構を備え、その結果、複数の支持体３の各々が、第１または第２のポジションのそれぞれに嵌るように構成されているのがよい。図１では、支持体３が、第１または第２のポジションにそれぞれ支持体３をロックするように構成されたロック機構を備えていることが更に示されている。前記ロック機構は、支持体の全てが対応する同一ポジションに折り畳まれ、前記ポジションが第１または第２のポジションのどちらかである場合にのみ支持体のロックを可能にするように構成されている。図１では、ロック機構が、ガス制御ハンドル１１と弁スピンドル９とを備える。ここで、ガス制御ハンドル１１は、少なくとも支持体３の第２のポジションに対応するポジションに折り畳み可能であり、その結果、ガス制御ハンドル１１の前記ポジションで、図２を参照すると、ガス制御ハンドル１１が支持体３と整列される。図１の弁スピンドル９は、ガス制御ハンドル１１によってそのポジションへロックされるように構成されている。
【００３５】
各パッドエリア７について、水平軸ｘに対して少なくとも角度αだけ傾斜されたパッドエリアが図２Ｂに示されている。ここで水平軸ｘは、鉛直軸ｙに対して垂直である。典型的に、角度αは図２Ｂに示すように、水平軸ｘに対して５度から２５度内であるのがよい。図２Ｂは、単に概略的に図示された、約２０度の角度αで傾斜された一パッドエリアを備える一支持体３の断面図を表している。図２Ｂは前述した第２のポジションを示しており、Ｐ２と名付けられ、即ち図２Ｂに示す支持体は、パッキング状態である。それに対し、図２Ａでは、支持体７は、パッキング状態からＰ１と称される第１のポジションに広げられている。第１ポジション、Ｐ１では、支持体７は、鉛直軸ｙに対して同一の角度αで傾けられている。図２Ａに示すように、この傾斜により、支持体３の支持エリア７は、水平軸ｘに対してほぼ均一になる。指摘したように、本例では、αは２０度であるが、異なる値が、支持エリア７の均一性を達成するために使用されてもよい。
【００３６】
図３は、図１、図２Ａ、図２Ｂの実施形態の携帯可能なアウトドアコンロ１０を折畳み状態で示す。特に、図３は、パッキング状態、即ち図２Ｂの第２のポジションＰ２で、支持体３と整列されたガス制御ハンドル１１を示す。
【００３７】
図４は、携帯可能なアウトドアコンロ２０の断面図を示し、前述の実施形態による携帯可能なアウトドアコンロ１０と実質的には同様である。図４では、携帯可能なアウトドアコンロ２０は、ガス制御弁２１と、図示を目的として２本のみが示されている支持体２３とを備える。前記支持体２３は広げられた状態で示されている。図１のバーナーユニット５と同様のバーナーユニット２５が示されている。支持体２３は、それぞれのパッドエリア２７と共に示されている。支持体２３のパッド２７は、略水平な均一表面領域を形成している。前記表面領域は、バーナーユニット２５によって加熱されるいくらかの流体３４を有する容器３２を支持するために示されている。更に図４は、携帯可能なコンロ２０に燃料を提供するための燃料カートリッジ３６を、縮尺で描かずに図示している。燃料カートリッジ３６は、よく知られた手段によってガス制御弁２１を介してバーナーユニット２５と接続されている。カートリッジ３６は、ねじ込みなどによってドッキングまたは固定されてもよい。カートリッジ３６が、即ち携帯可能なアウトドアコンロ２０を取り外すように使用されると、即ちカートリッジ３６が交換される必要があったときなどに固定が解除されるのがよい。
【００３８】
図５は、参照番号４０によって示された携帯可能なアウトドアコンロの更なる実施形態を示す。携帯可能なアウトドアコンロ４０は、ガス制御弁４１と、頂部領域４５Ａを有するバーナーユニット４５と、支持体４３とを備える。単なる図示の目的のため、図５は、２本のみの支持体４３を示すが、図６を参照すると、本実施形態の携帯可能なアウトドアコンロ４０が３本の支持体を有していることは理解されるべきである。更に、携帯可能なアウトドアコンロ４０は、ガス制御弁５１と弁スピンドル４９とを備える。ガス制御ハンドルは、弁スピンドルに接続され、したがって弁スピンドル４９を作動する。図示された３本の支持体４３は、ヒンジ部５３を備えるガス制御弁４１に接続される。ヒンジ部は、それぞれのダウエルピン４２によってガス制御弁４１に接続されてもよい。携帯可能なアウトドアコンロ４０は、上記携帯可能なアウトドアコンロ１０または２０と類似していてもよい。図１及び図３に関して説明したパッキング状態へ支持体４３を折り畳む機能は、図１及び図３の支持体３のための機能と同一である。加えて、ヒンジ部５３の特性は、図１及び図３のヒンジ部１３の特性と同一である。
【００３９】
図５では、ポット支持ホルダーが、それぞれの支持体４３と対応するように配置された中央リング４４及びアーム４４Ａを備えて示されている。図５の携帯可能なアウトドアコンロ４０が３本の支持体４３を有するので、ポット支持ホルダーも３本のアーム４４Ａを備える。更に、支持体４３の各々は、穴４３Ｈを有する。穴４３Ｈがアーム４４Ａに対応し、各アーム４４Ａの先端部分、即ちリング４４と反対側を向いている部分が、ロックできるように所定の対応する穴４３Ｈ内に適合するのがよい。これは、更に図６を参照して説明される。
【００４０】
図５では、支持体４３は、図１の多角形状の代わりに、部分的に筒状形状あるいは湾曲形状である。したがって、第２のポジション、即ちパッキング状態では、これら支持体４３は、バーナーユニット４５を覆う筒状カバーを実質的に形成する。支持体４３は、鉛直方向に沿ったそれぞれの隣接する縁でわずかに重なるか、直接隣接するのがよい。いずれの場合でも、パッキング状態の支持体４３によって形成された筒状形状のカバーは、バーナーユニット４５の要素が前記筒状カバーの外側に突出しないような方法でバーナーユニット４５を包囲する。加えて、携帯可能なアウトドアコンロ４０のバーナーユニット４５は、筒状形状を有する。
【００４１】
図１、図２、図３の支持体３または図４の支持体２３とは異なり、支持体４３は、それぞれの遠位側端部のところにパッドエリアを備えない。それゆえ、更に、少ない材料が使用されるのがよく、携帯可能なアウトドアコンロ４０の全体重量が更に削減される。広げられた支持体４３は、調理用に携帯可能なアウトドアコンロ４０を使用するためのポジションで、容器の湾曲形状のための容器の支持を提供する。
【００４２】
図６は、図５と同一要素を表すが、分解図ではない。詳細には、図６は、支持体４３をロックするためにアーム４４Ａの各々が対応する穴４３Ｈに適合している状態を示す。
【００４３】
図７は、図５及び図６の実施形態を示しており、パッキング状態の携帯可能なアウトドアコンロ４０を示している。ガス制御弁に対してパッキング状態にある支持体４３の長さは、バーナーユニット４５の長さより長く、その結果、バーナーユニット４５の頂部領域４５Ａ、即ち容器に最も近いバーナーユニット４５の領域であっても、パッキング状態にある支持体４３によって形成される筒状カバーの外側に突出しない。
【符号の説明】
【００４４】
１      ：ガス制御弁
３      ：支持体
５      ：バーナーユニット
７      ：パッドエリア
７Ｔ    ：頂部カバー
９      ：弁スピンドル
１０    ：アウトドアコンロ
１１    ：ガス制御ハンドル
１３    ：ヒンジ部
２０    ：アウトドアコンロ
２１    ：ガス制御弁
２３    ：支持体
２５    ：バーナーユニット
２７    ：パッドエリア
３２    ：容器
３６    ：カートリッジ
４０    ：アウトドアコンロ
４１    ：ガス制御弁
４２    ：ダウエルピン
４３    ：支持体
４３Ｈ  ：穴
４４    ：中央リング
４４Ａ  ：アーム
４５    ：バーナーユニット
４５Ａ  ：頂部領域
４９    ：弁スピンドル
５１    ：ガス制御弁
５３    ：ヒンジ部
【図１】
2020148450.tif 000003
【図２】
2020148450.tif 000004
【図３】
2020148450.tif 000005
【図４】
2020148450.tif 000006
【図５】
2020148450.tif 000007
【図６】
2020148450.tif 000008
【図７】
2020148450.tif 000009
【外国語明細書】
2020148450000001.pdf